(57)【要約】【課題】  簡単な構造によって充分な強度を得ることのできる伸縮構造体を提供する。また、その伸縮構造体を用いた折り畳み式梯子、折り畳み式支持台、折り畳み式器具および折り畳み式パイプを提供する。【解決手段】  一対のパンタグラフ式多段伸縮アーム１０，１０を伸縮方向を揃えて伸縮方向と交差する方向に所定間隔をあけて配し、双方の伸縮アーム１０，１０の各段同士の間に連結部材１４を橋渡して連結すると共に、パンタグラフ式多段伸縮アームの伸縮方向に沿ってスライド式多段伸縮アーム２０，２０を各々配し、パンタグラフ式多段伸縮アーム１０，１０の各段をスライド式多段伸縮アーム２０，２０の各段に回動自在に取り付けた伸縮構造体２。【選択図】    図２
2006052603.tif 000002
【特許請求の範囲】
【請求項１】
一対のパンタグラフ式多段伸縮アームを伸縮方向を揃えて伸縮方向と交差する方向に所定間隔をあけて配し、双方の伸縮アームの各段同士の間に連結部材を橋渡して連結したことを特徴とする伸縮構造体
【請求項２】
前記一対のパンタグラフ式多段伸縮アームが同一平面に沿って配されることを特徴とする請求項１に記載の伸縮構造体。
【請求項３】
前記パンタグラフ式多段伸縮アームの伸縮方向に沿ってスライド式多段伸縮アームを各々配し、前記パンタグラフ式多段伸縮アームの少なくとも伸縮方向両端の段を含む複数の段をスライド式多段伸縮アームの対応する段に回動自在に取り付けたことを特徴とする請求項１または２に記載の伸縮構造体。
【請求項４】
一対のスライド式多段伸縮アームを伸縮方向を揃えて伸縮方向と交差する方向に所定間隔をあけて配し、一方のスライド式多段伸縮アームの伸縮方向に沿って配されるパンタグラフ式多段伸縮アームの少なくとも伸縮方向両端の段を含む複数の段を、前記一方のスライド式多段伸縮アームの対応する段に回動自在に取り付けると共に、前記パンタグラフ式多段伸縮アームと他方のスライド式多段伸縮アームの各段同士の間に連結部材を橋渡して連結したことを特徴とする伸縮構造体。
【請求項５】
多角形の各頂点に位置させてスライド式多段伸縮アームを伸縮方向を揃えて配し、隣接するスライド式多段伸縮アーム同士の間に請求項３または４に記載の伸縮構造を各々形成したことを特徴とする伸縮構造体。
【請求項６】
前記スライド式多段伸縮アームが所定の曲率半径で湾曲していることを特徴とする請求項３または４に記載の伸縮構造体。
【請求項７】
パンタグラフ式多段伸縮アームの各段に、当該多段伸縮アームを伸長時と縮小時の中間位置に固定する連結部材を着脱自在に設けたことを特徴とする伸縮構造体。
【請求項８】
請求項１乃至７のいずれか１項に記載の伸縮構造体で形成されることを特徴とする折り畳み式梯子。
【請求項９】
請求項１乃至７のいずれか１項に記載の伸縮構造体で形成されることを特徴とする折り畳み式支持台。
【請求項１０】
請求項１乃至７のいずれか１項に記載の伸縮構造体を用いて形成される折り畳み式器具であって、当該伸縮構造体の伸縮方向の一端または両端に被支持対象物が取り付けられることを特徴とする折り畳み式器具。
【請求項１１】
前記被支持対象物が、昆虫採集網、魚類捕獲網、救命浮き輪、ヘッドフォーンまたは眼鏡のうちから選択されるいずれか一つであることを特徴とする請求項１０に記載の折り畳み式器具。
【請求項１２】
請求項５に記載の伸縮構造体を用いて形成される折り畳み式パイプであって、前記伸縮構造体の周りを伸長方向の全長に渡って伸縮性を有する外被材で覆って構成されることを特徴とする折り畳み式パイプ。
【発明の詳細な説明】
【技術分野】
【０００１】
本発明は、伸長、短縮自在の伸縮構造体に関する。また、同時に提案される本発明は、その伸縮構造体を用いた折り畳み式梯子、折り畳み式支持台、折り畳み式器具および折り畳み式パイプに関する。
【背景技術】
【０００２】
近時、戸建て住戸は延べ床面積を増加させるべく２階建てや３階建て構造を採用することが多く、マンションやアパートなども高層化の一途をたどっている。
マンションやアパートは、火災などの災害に対応するべく避難装置の設置が義務づけられているが、戸建て住戸では、避難装置が設置されることは希である。
【０００３】
そこで、普段は住戸内に収納しておき、火災などの災害発生時に展開して使用可能な避難梯子が開発されている。
特許文献１には、このような避難梯子が開示されている。特許文献１に開示された避難梯子は、上下に配置されるステップを丁番を介して連結プレートで順次連結することにより、伸長時には梯子形状を形成すると共に、複数のステップを重ね合わせて折り畳み可能な構成とされている。
則ち、特許文献１に開示された避難梯子は、不使用時には折り畳んでコンパクトに収納でき、災害発生時に展開して避難梯子として使用可能とされている。
【特許文献１】特開２００２−３６０７１６号公報
【発明の開示】
【発明が解決しようとする課題】
【０００４】
ところが、特許文献１に開示された避難梯子は、複数のステップを丁番を介してプレートで固定した構造であるため、ステップ同士が相対的に左右に移動することとなり、通常の梯子のような剛性を備えたものではなかった。このため、特許文献１に開示された避難梯子は登り降りしづらく、収納性は高いものの緊急を要する避難時に適さないために改善が望まれていた。
【０００５】
また、このような避難梯子の問題とは異なり、日常生活で使用される多数の器具のなかには、長尺の棒体端部に被支持対象物を取り付けた構成のものが多い。
例えば、昆虫採集に用いる網は、棒体の先端部に網を取り付けた構造である。また、ヘッドフォーンは、湾曲したフレームの両端部にヘッドフォーンスピーカを内包したフォーンパッドを取り付けた構造とされている。
【０００６】
ところが、このような昆虫採集網やヘッドフォーンなどの器具は、不使用時においても長尺の棒体やフレームが嵩張るために収納に多大なスペースを要することとなり、収納性を改善した器具の開発が待たれていた。
【０００７】
本発明は、前記事情に鑑みて提案されるもので、簡単な構造によって充分な強度を確保することのできる伸縮構造体を提供することを目的としている。また、同時に提案される本発明は、その伸縮構造体を用いた折り畳み式梯子、折り畳み式支持台、折り畳み式器具および折り畳み式パイプを提供することを目的としている。
【課題を解決するための手段】
【０００８】
前記目的を達成するために提案される請求項１に記載の発明は、一対のパンタグラフ式多段伸縮アームを伸縮方向を揃えて伸縮方向と交差する方向に所定間隔をあけて配し、双方の伸縮アームの各段同士の間に連結部材を橋渡して連結した伸縮構造体である。
【０００９】
本発明によれば、一対のパンタグラフ式多段伸縮アームを完全に伸長すると略直線状の一対のアームとなり、これら略直線状のアーム同士が複数の連結部材で連結された形状となる。また、一対のパンタグラフ式多段伸縮アームを完全に縮小すると、折り畳まれた状態のパンタグラフ式多段伸縮アーム同士が連結部材で連結された形状となる。
【００１０】
則ち、本発明によれば、伸縮構造体を伸長すると、略直線状の一対のアームの間に連結部材が橋渡された梯子形状となり、伸縮構造体を縮小すると、折り畳まれて嵩が低減した状態となる。
従って、一対のパンタグラフ式多段伸縮アームおよび連結部材を剛性を有する金属などで製することにより、伸長時には剛性を有する梯子形状とし、縮小時には折り畳んで嵩を低減させることのできる伸縮構造体を形成することが可能となる。
【００１１】
請求項２に記載の発明は、請求項１に記載の伸縮構造体において、一対のパンタグラフ式多段伸縮アームが同一平面に沿って配される構成とされている。
【００１２】
ここで、一対のパンタグラフ式多段伸縮アームを配置する場合、各パンタグラフ式多段伸縮アームの展開面を互いに対向させて略平行に配置する構成や、各パンタグラフ式多段伸縮アームの展開面を同一平面に沿って配置する構成を採ることができる。
【００１３】
本発明によれば、後者の構成、則ち、各パンタグラフ式多段伸縮アームの展開面を同一平面に沿って配置する構成を採ることにより、伸縮構造体を縮小させたときに、連結部材で連結された一対のパンタグラフ式多段伸縮アームを略平面状に折り畳むことができる。これにより、折り畳み形状を平面化することができ、縮小時の嵩を一層低減することが可能となる。
【００１４】
請求項３に記載の発明は、請求項１または２に記載の伸縮構造体において、前記パンタグラフ式多段伸縮アームの伸縮方向に沿ってスライド式多段伸縮アームを各々配し、前記パンタグラフ式多段伸縮アームの少なくとも伸縮方向両端の段を含む複数の段をスライド式多段伸縮アームの対応する段に回動自在に取り付けた構成とされている。
【００１５】
本発明によれば、一対のスライド式多段伸縮アームを伸長すると、パンタグラフ式多段伸縮アームも追随して伸長され、逆に、スライド式多段伸縮アームを縮小すると、パンタグラフ式多段伸縮アームも追随して縮小される。
【００１６】
従って、伸縮構造体を伸長すると、直線状に伸長されたパンタグラフ式多段伸縮アームに沿ってスライド式多段伸縮アームが伸長された状態となり、パンタグラフ式多段伸縮アームがスライド式多段伸縮アームによって補強される。これにより、伸縮構造体の伸長時における長手方向の曲げ剛性を一層向上させることが可能となる。
【００１７】
本発明において、パンタグラフ式多段伸縮アームの伸縮方向両端の段のみをスライド式多段伸縮アームの対応する段に回動自在に取り付ける構成を採ることができる。
この構成によれば、構造を簡略化しつつ、パンタグラフ式多段伸縮アームに沿ってスライド式多段伸縮アームを配置することができ、伸縮構造体の伸長時における長手方向の曲げ剛性を向上させることができる。
【００１８】
また、パンタグラフ式多段伸縮アームの伸縮方向両端の段を含む３以上の段、あるいは、パンタグラフ式多段伸縮アームの全ての段をスライド式多段伸縮アームの対応する段に回動自在に取り付ける構成を採ることができる。
この構成によれば、パンタグラフ式多段伸縮アームの各段がスライド式多段伸縮アームの各段に連動して伸縮することとなり、伸縮構造体の伸長時における長手方向の曲げ剛性が一層向上する。
【００１９】
本発明において、スライド式多段伸縮アームは種々の構成を採ることができる。
例えば、伸縮式のロッドアンテナのように、外径が順次縮小された複数の円筒体を入れ子状態にして一体化した構成を採ることができる。
また、隣接する各段のアーム同士を伸縮方向に移動自在に係合させて一体化した構成を採ることも可能である。
【００２０】
また、本発明において、一対のスライド式多段伸縮アーム同士の間に、連結部材で連結された一対のパンタグラフ式多段伸縮アームを二系統設けることも可能である。この構成によれば、伸縮構造体の伸長時における長手方向の曲げ剛性を更に向上させることが可能となる。
【００２１】
請求項４に記載の発明は、一対のスライド式多段伸縮アームを伸縮方向を揃えて伸縮方向と交差する方向に所定間隔をあけて配し、一方のスライド式多段伸縮アームの伸縮方向に沿って配されるパンタグラフ式多段伸縮アームの少なくとも伸縮方向両端の段を含む複数の段を、一方のスライド式多段伸縮アームの対応する段に回動自在に取り付けると共に、パンタグラフ式多段伸縮アームと他方のスライド式多段伸縮アームの各段同士の間に連結部材を橋渡して連結した伸縮構造体である。
【００２２】
本発明によれば、伸縮構造体を伸長すると、一対のスライド式多段伸縮アームの一方に沿って略直線状のパンタグラフ式多段伸縮アームが位置し、当該略直線状のパンタグラフ式多段伸縮アームと他方のスライド式多段伸縮アームとの間に連結部材が橋渡された梯子形状となる。
また、一対のスライド式多段伸縮アームを完全に縮小すると、縮小された一方のスライド式多段伸縮アームと折り畳まれたパンタグラフ式多段伸縮アームが他方のスライド式多段伸縮アームに連結部材で連結された形状となる。
【００２３】
従って、スライド式多段伸縮アームおよびパンタグラフ式多段伸縮アームならびに連結部材を剛性を有する金属などで製することにより、伸長時には剛性を有する梯子形状とし、縮小時には折り畳んで嵩を低減させることのできる伸縮構造体を形成することが可能となる。
【００２４】
特に、伸縮構造体を伸長すると、一方のスライド式多段伸縮アームに沿って直線状に伸長されたパンタグラフ式多段伸縮アームが位置することとなり、パンタグラフ式多段伸縮アームがスライド式多段伸縮アームによって補強される。これにより、伸縮構造体の伸長時における長手方向の曲げ剛性を向上させることが可能となる。
【００２５】
本発明において、パンタグラフ式多段伸縮アームの伸縮方向両端の段のみをスライド式多段伸縮アームの対応する段に回動自在に取り付ける構成を採ることができる。
この構成によれば、構造を簡略化しつつ、パンタグラフ式多段伸縮アームに沿ってスライド式多段伸縮アームを配置することができ、伸縮構造体の伸長時における長手方向の曲げ剛性を向上させることができる。
【００２６】
また、パンタグラフ式多段伸縮アームの伸縮方向両端の段を含む３以上の段、あるいは、パンタグラフ式多段伸縮アームの全ての段をスライド式多段伸縮アームの対応する段に回動自在に取り付ける構成を採ることができる。
この構成によれば、パンタグラフ式多段伸縮アームの各段がスライド式多段伸縮アームの各段に連動して伸縮することとなり、伸縮構造体の伸長時における長手方向の曲げ剛性が一層向上する。
【００２７】
本発明において、一対のスライド式多段伸縮アーム同士の間に、連結部材を備えたパンタグラフ式多段伸縮アームを二系統設けることも可能である。この構成によれば、伸縮構造体の伸長時における長手方向の曲げ剛性を一層向上させることができる。
連結部材を備えたパンタグラフ式多段伸縮アームを二系統設ける場合は、各系統を伸縮構造体の伸縮方向に対して左右対称に配置することにより、伸縮構造体の伸長時における長手方向の曲げ剛性が均一化され、一層強度を向上させることができる。
【００２８】
請求項５に記載の発明は、多角形の各頂点に位置させてスライド式多段伸縮アームを伸縮方向を揃えて配し、隣接するスライド式多段伸縮アーム同士の間に請求項３または４に記載の伸縮構造を各々形成した伸縮構造体である。
【００２９】
ここに、本発明で言う多角形とは、正三角形、正方形、正五角形などの正多角形や菱形を含む。
本発明によれば、多角形の頂点に位置させたスライド式多段伸縮アームの間に請求項３または４に記載の伸縮構造を各々形成することにより、伸縮構造体を立体構造とすることができる。これにより、伸縮構造体の伸長時における長手方向の曲げ剛性を著しく向上させることが可能となる。
【００３０】
請求項６に記載の発明は、請求項３または４に記載の伸縮構造体において、スライド式多段伸縮アームが所定の曲率半径で湾曲した構成とされている。
【００３１】
本発明によれば、スライド式多段伸縮アームを伸長するとアーチ型のアームが形成される。これにより、伸縮構造体の伸長時には、パンタグラフ式多段伸縮アームもスライド式多段伸縮アームに沿ってアーチ形状に湾曲することとなり、アーチ型に伸長可能で、且つ、縮小可能な伸縮構造体を形成することが可能となる。
【００３２】
請求項７に記載の発明は、パンタグラフ式多段伸縮アームの各段に、当該多段伸縮アームを伸長時と縮小時の中間位置に固定する連結部材を着脱自在に設けた伸縮構造体である。
【００３３】
ここで、パンタグラフ式多段伸縮アームは、完全な伸長時には略直線状のアームとなり、完全な縮小時には、各段が折り畳まれた状態となる。従って、パンタグラフ式多段伸縮アームを伸長時と縮小時の中間に固定することにより、パンタグラフ式多段伸縮アームはジグザグ状態を呈する。
【００３４】
本発明によれば、パンタグラフ式多段伸縮アームの各段に連結部材を装着することにより、当該パンタグラフ式多段伸縮アームがジグザグ状態に固定されることとなり、当該パンタグラフ式多段伸縮アームと連結部材によって梯子形状が形成される。
また、連結部材を取り外すことにより、パンタグラフ式多段伸縮アームを折り畳むことが可能となる。
【００３５】
本発明において、パンタグラフ式多段伸縮アームを二重に重ね合わせた構成を採ることも可能である。この構成によれば、伸縮構造体の伸長時における長手方向の曲げ剛性を一層向上させることが可能となる。
【００３６】
請求項８に記載の発明は、請求項１乃至７のいずれか１項に記載の伸縮構造体で形成される折り畳み式梯子である。
【００３７】
前記した本発明の伸縮構造体は、全て、伸長時には連結部材を足掛かりとした梯子形状を呈し、しかも、長手方向に対する充分な剛性を備える。また、前記した本発明の伸縮構造体は、縮小して折り畳むことができる。
これにより、使用時には伸長して剛性を有する梯子として用い、不使用時には折り畳んでコンパクトに収納可能な折り畳み式梯子を形成することが可能となる。
【００３８】
本発明において、請求項１乃至７のいずれか１項に記載の伸縮構造体を一つだけ用いた折り畳み式梯子、または、請求項１乃至７のいずれか１項に記載の伸縮構造体を複数連結した折り畳み式梯子を形成することもできる。
また、請求項１乃至７のいずれか１項に記載の異なる伸縮構造体を複数連結した折り畳み式梯子を形成することも可能である。
【００３９】
請求項９に記載の発明は、請求項１乃至７のいずれか１項に記載の伸縮構造体で形成される折り畳み式支持台である。
【００４０】
ここに、本発明で言う支持台とは、人が登って作業を行う台や、被支持対象物を固定する台を含む。
前記したように、本発明の伸縮構造体は、伸長時において梯子形状を呈するので、当該伸縮構造体を支持台として用いることが可能である。
例えば、予め、伸縮構造体に被支持対象物を固定するための固定構造を設けると共に、伸縮構造体に自らを躯体（固定対象物）に固定するための固定構造を設けることにより、被支持対象物を容易に躯体に固定することが可能となる。
【００４１】
具体的には、住戸の屋根に設置されるソーラーパネルや太陽熱温水装置などの被支持対象物を躯体である屋根に固定するための支持台を形成することができる。
本発明の折り畳み式支持台によれば、折り畳んでコンパクトに移動、搬送することができ、使用時には容易に展開して被支持対象物を確実に支持することが可能となる。
【００４２】
本発明において、請求項１乃至７のいずれか１項に記載の伸縮構造体を一つだけ用いた折り畳み式支持台、または、請求項１乃至７のいずれか１項に記載の伸縮構造体を複数連結した折り畳み式支持台を形成することができる。
また、請求項１乃至７のいずれか１項に記載の異なる伸縮構造体を複数連結した折り畳み式梯子を形成することも可能である。
【００４３】
請求項１０に記載の発明は、請求項１乃至７のいずれか１項に記載の伸縮構造体を用いて形成される折り畳み式器具であって、当該伸縮構造体の伸縮方向の一端または両端に被支持対象物が取り付けられる構成とされている。
【００４４】
前記したように、本発明の伸縮構造体は、伸長時において長尺の梯子形状を呈し、縮小時にはコンパクトに折り畳むことができる。
従って、各種の器具に本発明の伸縮構造体を適用することにより、使用時には伸縮構造体を伸長させて器具本来の機能を発現させ、不使用時には伸縮構造体を縮小させてコンパクトに折り畳むことができる。これにより、各種の器具本来の機能を発現しつつコンパクトに収納することが可能な折り畳み式器具を形成することが可能となる。
【００４５】
請求項１１に記載の発明は、請求項１０に記載の折り畳み式器具において、被支持対象物が、昆虫採集網、魚類捕獲網、救命浮き輪、ヘッドフォーン、眼鏡のうちから選択されるいずれか一つである構成とされている。
【００４６】
本発明は、請求項１０に記載の折り畳み式器具を具体的に限定したものである。
則ち、昆虫採集網や魚類捕獲網は、本発明の伸縮構造体の伸縮方向の一端に網を取り付けた構造を採ることにより、使用時には伸長させた伸縮構造体が棒体として機能して昆虫採集網や魚類捕獲網として使用することができる。また、不使用時には、伸縮構造体を縮小させてコンパクトに折り畳むことができる。
また、本発明の伸縮構造体の伸縮方向の一端に浮き輪を取り付けた構造を採ることにより、折り畳み可能な救命浮き輪を構成することが可能となる。
【００４７】
更に、本発明のアーチ型に湾曲した伸縮構造体の伸縮方向の両端にヘッドフォーンスピーカを内包したフォーンパッドを取り付けた構造を採ることにより、使用時には伸縮構造体を伸長させて頭部形状に沿って湾曲させ、不使用時にはコンパクトに折り畳み可能なヘッドフォーンを形成することができる。
【００４８】
請求項１２に記載の発明は、請求項５に記載の伸縮構造体を用いて形成される折り畳み式パイプであって、伸縮構造体の周りを伸長方向の全長に渡って伸縮性を有する外被材で覆った構成とされている。
【００４９】
前記したように、請求項５に記載の伸縮構造体は立体構造であるので、伸長方向の全長に渡って伸縮構造体の周りを外被材で覆うことにより、外被材で囲まれる内部をパイプとして機能させることができる。
従って、本発明の伸縮パイプによれば、使用時に伸縮構造体を伸長させて長尺のパイプとして機能させ、不使用時にはコンパクトに折り畳むことが可能となる。
【００５０】
本発明の伸縮パイプは、種々の器具に適用することができる。例えば、掃除機の吸引パイプに適用することにより、これまで以上にコンパクトに折り畳むことができ、収納性を一層向上させることが可能となる。
【発明の効果】
【００５１】
請求項１〜７に記載の発明によれば、使用時には伸長させて長尺の剛性を有する構造体とされ、不使用時には縮小させてコンパクトに折り畳むことのできる伸縮構造体を提供できる。
請求項８に記載の発明によれば、請求項１〜７に記載の伸縮構造体を用いることにより、使用時には伸長させて長尺の剛性を有する梯子とされ、不使用時には縮小させてコンパクトに折り畳むことのできる折り畳み式梯子を提供できる。
請求項９に記載の発明によれば、請求項１〜７に記載の伸縮構造体を用いることにより、使用時には伸長させて長尺の剛性を有する支持台とされ、不使用時には縮小させてコンパクトに折り畳むことのできる折り畳み式支持台を提供できる。
請求項１０，１１に記載の発明によれば、請求項１〜７に記載の伸縮構造体を用いることにより収納性を向上させた折り畳み式器具を提供できる。
請求項１２に記載の発明によれば、請求項１〜７に記載の伸縮構造体を用いることにより、収納性を向上させた折り畳み式パイプを提供できる。
【発明を実施するための最良の形態】
【００５２】
以下に、図面を参照して本発明の実施形態を説明する。尚、以下の実施形態で示す伸縮構造体は、そのまま本発明の折り畳み式梯子を形成するものである。従って、各実施形態における伸縮構造体と折り畳み式梯子には同一の符号を付す。
【００５３】
（第１実施形態）
図１（ａ）〜（ｄ）は、本発明の第１実施形態に係る伸縮構造体（折り畳み式梯子）１の構造および伸縮状態を示す平面図である。
本実施形態の伸縮構造体１は、図１（ａ）の様に、一対のパンタグラフ式多段伸縮アーム１０，１０を伸縮方向を揃えて伸縮方向と交差する方向に所定間隔をあけて配し、双方の伸縮アーム１０，１０の各段同士の間に連結部材１４を橋渡して連結した構造を有する。
【００５４】
パンタグラフ式多段伸縮アーム１０は、図１（ａ）の様に、４本の第１アーム１１と、２本の第２アーム１２と、２本の第３アーム１３とを組み合わせて形成される。第２アーム１２は第１アーム１１の略半分の長さであり、第３アーム１３は第１アームの一端に取っ手１３ａを設けた形状である。
【００５５】
パンタグラフ式多段伸縮アーム１０は次の構成を有する。則ち、２本の第１アーム１１，１１の中央部を回動自在にＸ字状に取り付けたものを上下（図１ａの上下方向）に２組配し、上下各組の第１アーム１１の端部同士を回動自在に固定する。更に、前記第１アーム１１の解放側端部に第２アーム１２および第３アーム１３の端部を各々回動自在に固定し、第２アーム１２の他端部を第３アーム１３の略中央部に回動自在に固定して形成される。
尚、本実施形態に採用するパンタグラフ式多段伸縮アーム１０は、第１〜第３アームで形成される３段構成（菱形形状の段数が３段）としている。
【００５６】
本実施形態の伸縮構造体１は、このようなパンタグラフ式多段伸縮アーム１０を２つ用いて形成される。則ち、図１（ａ）の様に、一対の多段伸縮アーム１０，１０を、伸縮方向を揃えて、第３アーム１３の取っ手１３ａが外側に位置する様に配し、菱形形状の各段の第１アーム１１の内方側端部同士の間に各々連結部材１４を回動自在に接続して形成される。
【００５７】
本実施形態では、更に、一方の第３アーム１３の取っ手１３ａの近傍に係止部材１５を回動自在に固定すると共に、対向する他方の第３アーム１３の取っ手１３ａの近傍に、係止部材１５を係合させるための係止部１３ｂを設けた構成としている。
【００５８】
このような構成の伸縮構造体１は、次の手順により、極めて容易に伸縮させることが可能である。
まず、図１（ａ）において、各パンタグラフ式多段伸縮アーム１０，１０の上下の取っ手１３ａ，１３ａを互いに近接させる方向へ押圧する。すると、第３アーム１３と第１アーム１１の接続点および第２アーム１２と第１アーム１１の接続点が互いに左右方向に離遠するように移動し、これに伴って、第３アーム１３および第２アーム１２が左右方向に重なり合うと共に、追随して、Ｘ字状の第１アーム１１，１１も回動して左右方向に重なり合う。
【００５９】
これにより、図１（ｂ）の様に、各パンタグラフ式多段伸縮アーム１０，１０の第１〜第３アーム１１，１２，１３が折り重ねられると共に、連結部材１４同士が近接し、伸縮構造体１は上下方向に縮小されて折り畳まれた状態（縮小状態）となる。
折り畳まれた状態では、伸縮構造体１の左右の長さは、図１（ｂ）の様に、概ね第３アーム１３の二倍の長さに連結部材１４の長さを加えたものとなり、上下の長さは縮小されて極めてコンパクトになる。
【００６０】
一方、伸縮構造体１を伸長させるときは、図１（ｂ）において、各多段伸縮アーム１０，１０の上下の取っ手１３ａ，１３ａを互いに離遠する方向へ引き離す。すると、第３アーム１３と第１アーム１１の接続点および第２アーム１２と第１アーム１１の接続点が互いに左右方向に近接するように移動し、追随して、第１アーム１１，１１同士の端部接続点も近接するように移動して図１（ａ）に示す伸長状態となる。
【００６１】
更に、上下の取っ手１３ａ，１３ａを互いに離遠する方向へ引っ張ると、図１（ｃ）の様に、各パンタグラフ式多段伸縮アーム１０は更に上下方向へ伸長する。
そして、パンタグラフ式多段伸縮アーム１０が完全に伸長すると、図１（ｄ）の様に、第３アーム１３と第２アーム１２が上下方向（図１ｃの上下方向）に重なり合うと共に、第１アーム１０同士も上下方向に重なり合う。これにより、各パンタグラフ式多段伸縮アーム１０，１０は、恰も直線状のアームとなる。
【００６２】
そして、係止部材１５の係止孔１５ａを第３アーム１３の係止部１３ｂに係止させることにより、図１（ｄ）の様に伸縮構造体１の伸長が完了する。
伸長が完了した伸縮構造体（折り畳み式梯子）１は、図１（ｄ）の様に、直線状となった一対のパンタグラフ式多段伸縮アーム１０，１０の間に連結部材１４と係止部材１５が橋渡された形状となり、所謂梯子形状を呈する。
【００６３】
伸長された折り畳み式梯子１は、一対のパンタグラフ式多段伸縮アーム１０が剛性を有すると共に、連結部材１４および係止部材１５も剛性を有する。従って、下端の第３アーム１３の取っ手１３ａを大地や建物などの躯体に当接させて立てかけることにより、連結部材１４および係止部材１５を足掛かりとして昇降可能な梯子となる。
【００６４】
また、本実施形態の折り畳み式梯子１は、上下の第３アーム１３同士の間を係止部材１５，１５で係止するので、昇降時に連結部材１４に印加される荷重によって、パンタグラフ式多段伸縮アーム１０が折り畳み形状に変動することが阻止される。これにより、安全に昇降を行うことができる。
【００６５】
このように、本実施形態の伸縮構造体（折り畳み式梯子）１によれば、一対のパンタグラフ式多段伸縮アーム１０，１０を連結部材１４で連結しただけの簡単な構造により、使用時は伸長させて剛性を有する梯子として機能し、不使用時はコンパクトに折り畳んで収納することができる。
これにより、収納スペースを削減した優れた折り畳み式梯子１を提供することができ、災害の発生に直ちに対応することが可能となる。
【００６６】
尚、本実施形態の折り畳み式梯子１は、前記したように、伸長時において高い剛性を有するので、災害発生時のみならず、ガラス拭きやペンキ塗りなどの日常作業に用いることも可能である。
【００６７】
（第２実施形態）
図２（ａ）〜（ｃ）は、第２実施形態に係る伸縮構造体（折り畳み式梯子）２の構造および伸縮状態を示す平面図である。
本実施形態の伸縮構造体２は、前記第１実施形態の伸縮構造体１（図１参照）に一対のスライド式多段伸縮アーム２０，２０を追加した構成である。従って、同一構成部分には同一の符号を付して重複した説明を省略する。
【００６８】
本実施形態の伸縮構造体２は、図２（ａ）の様に、各パンタグラフ式多段伸縮アーム１０，１０の外側に当該伸縮アーム１０の伸縮方向に沿ってスライド式多段伸縮アーム２０を配し、パンタグラフ式多段伸縮アーム１０の各段をスライド式多段伸縮アーム２０，２０の各段に回動自在に取り付けた構造を有する。
【００６９】
パンタグラフ式多段伸縮アーム１０は、図２（ａ）の様に、９本の第１アーム１１と、３本の第２アーム１２とを組み合わせて形成される６段の伸縮アームである。
一方、スライド式多段伸縮アーム２０は、伸縮型ロッドアンテナのように、外径が順次縮小された第１アーム２１〜第６アーム２６の６本の円筒形のアームを入れ子状態にして一体化した構造を有する。
【００７０】
パンタグラフ式多段伸縮アーム１０の第１アーム１１の接続点のうち、スライド式多段伸縮アーム２０に近接する各段の６箇所の接続点は、各々、スライド式多段伸縮アーム２０の第１アーム２１〜第６アーム２６の上端部に回動自在に固定されている。
【００７１】
また、本実施形態の伸縮構造体２は、一方のスライド式多段伸縮アーム２０の第１アーム２１の下端に係止部材２７を回動自在に固定すると共に、対向する他方のスライド式多段伸縮アーム２０の第１アーム２１に係止部２１ａを設けている。
更に、一方のスライド式多段伸縮アーム２０の第６アーム２６の接続点に係止部材２７を回動自在に固定すると共に、対向する他方のスライド式多段伸縮アーム２０の第６アーム２６に係止部２６ａを設けている。
【００７２】
このような構成の伸縮構造体２は、次の手順により、極めて容易に伸縮させることが可能である。
まず、図２（ａ）において、各スライド式多段伸縮アーム２０，２０を縮小させるように上下から押圧する。すると、スライド式多段伸縮アーム２０の縮小に追随してパンタグラフ式多段伸縮アーム１０の各段が折り畳まれ、図２（ｂ）の様に、各段が折り畳まれたパンタグラフ式多段伸縮アーム１０に縮小されたスライド式多段伸縮アーム２０が沿う状態で折り畳みが完了する。
【００７３】
折り畳まれた状態の伸縮構造体２は、左右の長さが、概ね、パンタグラフ式多段伸縮アーム１０の第１アーム１１の二倍の長さに、連結部材１４の長さとスライド式多段伸縮アーム２０の最大外径の二倍の長さとを加えたものとなり、上下の長さは縮小されたスライド式多段伸縮アーム２０の長さとなって極めてコンパクトになる。
【００７４】
一方、伸縮構造体２を伸長させるときは、図２（ｂ）において、各スライド式多段伸縮アーム２０，２０を伸長させるように上下方向に引っ張る。すると、スライド式多段伸縮アーム２０，２０の伸長に追随してパンタグラフ式多段伸縮アーム１０，１０も伸長して図２（ａ）の状態に至る。
【００７５】
更に、各スライド式多段伸縮アーム２０，２０を完全に伸長させることにより、図２（ｃ）の様に、パンタグラフ式多段伸縮アーム１０，１０は直線状の完全伸長状態となる。
そして、下端の係止部材２７の係止孔２７ａを対向する係止部２１ａに係止させると共に、上端の係止部材２７の係止孔２７ａを対向する係止部２６ａに係止させることにより、図２（ｃ）の様に伸縮構造体２の伸長が完了する。
【００７６】
伸長が完了した伸縮構造体（折り畳み式梯子）２は、図２（ｃ）の様に、直線状となった一対のパンタグラフ式多段伸縮アーム１０，１０に沿ってスライド式多段伸縮アーム２０，２０が位置すると共に、パンタグラフ式多段伸縮アーム１０，１０の間に連結部材１４と係止部材２７が橋渡された梯子形状を呈する。
【００７７】
伸長された折り畳み式梯子２は、一対のパンタグラフ式多段伸縮アーム１０に加えて一対のスライド式多段伸縮アーム２０が高い曲げ剛性を有すると共に、連結部材１４および係止部材２７も剛性を有する。従って、連結部材１４および係止部材２７を足掛かりとして昇降可能な梯子となる。
【００７８】
また、本実施形態の折り畳み式梯子２は、スライド式多段伸縮アーム２０の上下を係止部材２７，２７で係止するので、昇降時に連結部材１４に印加される荷重によって、パンタグラフ式多段伸縮アーム１０が折り畳み形状に変動することが阻止される。これにより、安全に昇降を行うことが可能となる。
【００７９】
このように、本実施形態の伸縮構造体（折り畳み式梯子）２によれば、連結部材１４で連結された一対のパンタグラフ式多段伸縮アーム１０，１０にスライド式多段伸縮アーム２０を追加することにより、使用時は伸長させて高い曲げ剛性を有する梯子として機能し、不使用時はコンパクトに折り畳んで収納することができる。
これにより、収納スペースを削減した優れた折り畳み式梯子２を提供することができ、災害の発生に直ちに対応することが可能となる。
【００８０】
ここで、本実施形態の伸縮構造体（折り畳み式梯子）２は、パンタグラフ式多段伸縮アーム１０の各段をスライド式多段伸縮アーム２０の対応する各段に回動自在に取り付けた構造を採用したが、簡略化した構造を採ることも可能である。
図３（ａ）〜（ｃ）は、伸縮構造体２（図２参照）を簡略化した伸縮構造体２ａの構造および伸縮状態を示す平面図である。
【００８１】
伸縮構造体２ａは、図３（ａ）の様に、パンタグラフ式多段伸縮アーム１０の伸縮方向両端の段だけをスライド式多段伸縮アーム２０，２０の対応する段に回動自在に取り付けた構造を有する。
【００８２】
パンタグラフ式多段伸縮アーム１０は、図３（ａ）の様に、１０本の第１アーム１１と、２本の第２アーム１２とを組み合わせて形成される伸縮アームである。
一方、スライド式多段伸縮アーム２０は、前記伸縮構造体２（図２参照）に採用したものと同一の基本構造を有する。
【００８３】
パンタグラフ式多段伸縮アーム１０の伸縮方向両端の段（図３ａの上下両端の段）の各第１アーム１１，１１は、スライド式多段伸縮アーム２０の第６アーム２６および第１アーム２１に各々回動自在に固定されている。
則ち、伸縮構造体２ａは、パンタグラフ式多段伸縮アーム１０の伸縮方向両端の段だけが、スライド式多段伸縮アーム２０の伸縮方向両端の段に各々回動自在に取り付けられた構造を有する。
【００８４】
この伸縮構造体２ａも、図３（ｂ）の様に、各スライド式多段伸縮アーム２０，２０を縮小させると、追随してパンタグラフ式多段伸縮アーム１０の各段が折り畳まれてコンパクトにすることができる。
【００８５】
また、各スライド式多段伸縮アーム２０，２０を完全に伸長させることにより、図３（ｃ）の様に、直線状となった一対のパンタグラフ式多段伸縮アーム１０，１０に沿ってスライド式多段伸縮アーム２０，２０が位置すると共に、パンタグラフ式多段伸縮アーム１０，１０の間に連結部材１４と係止部材２７が橋渡された梯子形状を呈する。
これにより、使用時は伸長させて高い曲げ剛性を有する梯子として機能し、不使用時はコンパクトに折り畳んで収納することができる。
【００８６】
特に、伸縮構造体２ａは、パンタグラフ式多段伸縮アーム１０の伸縮方向両端の段だけが、スライド式多段伸縮アーム２０の伸縮方向両端の段に回動自在に取り付けられた構造であり、パンタグラフ式多段伸縮アーム１０の段数とスライド式多段伸縮アーム２０の段数に制約がない。これにより、伸縮構造体２ａの設計の自由度が高い。
【００８７】
ところで、前記伸縮構造体２，２ａ（図２、図３参照）において、伸長時に、連結部材１４の両端部をスライド式多段伸縮アーム２０に嵌合させる構造を採ることも可能である。
図４（ａ）〜（ｃ）は、前記伸縮構造体２（図２参照）に、伸長時において連結部材１４の両端部をスライド式多段伸縮アーム２０に嵌合させる構造を適用した伸縮構造体２ｂを示す説明図である。
【００８８】
伸縮構造体２ｂは、図４（ａ）の様に、スライド式多段伸縮アーム２０の各アーム２１，２２，２３・・の上端部近傍に開口２１ｂ，２２ｂ・・が設けられると共に、各アーム２２，２３の下端部近傍（入れ子部位）にも開口２２ｃ，２３ｃ・・が設けられている。
これらの開口２１ｂ，２２ｂ・・および開口２２ｃ，２３ｃ・・は、連結部材１４の位置する側へ向けて開けられており、その大きさは連結部材１４の断面形状と略等しい。
また、伸縮構造体２ｂは、連結部材１４が長手方向に延長された構造を有する。
【００８９】
このような伸縮構造体２ｂは、図４（ａ）の状態において、スライド式多段伸縮アーム２０を伸長すると、図４（ｂ）の様に、各アーム２１，２２，２３・・に設けた開口２１ｂ，２２ｂ・・と開口２２ｂ，２３ｂが近接すると共に、各連結部材１４の長手端部１４ｂが開口２１ｂ，２２ｂ・・に近接する。
【００９０】
そして、スライド式多段伸縮アーム２０を完全に伸長させると、図４（ｃ）の様に、各アーム２１，２２，２３・・の開口２１ｂ，２２ｂ・・と開口２２ｃ，２３ｃ・・が重なり合って連通し、当該開口２１ｂ，２２ｂ・・に連結部材１４の長手端部１４ｂが嵌入する。
【００９１】
従って、完全な伸長時には、スライド式多段伸縮アーム２０の各アーム２１，２２，２３・・が、嵌入した連結部材１４によって縮小が阻止されるロック状態となり、しかも、連結部材１４の両端部がスライド式多段伸縮アーム２０に支持される。これにより、連結部材１４の耐荷重強度が著しく向上すると共に、連結部材１４によってスライド式多段伸縮アーム２０およびパンタグラフ式多段伸縮アーム１０が縮小することを阻止することができる。
従って、伸縮構造体２ｂの伸長時における耐荷重強度を著しく増大させることができ、安全性を向上した折り畳み式梯子として使用することが可能となる。
【００９２】
尚、伸縮構造体２ｂは、前記伸縮構造体２（図２参照）において、連結部材１４をスライド式多段伸縮アーム２０に嵌入させる嵌合構造を適用したが、前記伸縮構造体２ａ（図３参照）にこのような嵌合構造を適用することも可能である。
【００９３】
ところで、前記伸縮構造体２，２ａ（図２，図３参照）および伸縮構造体２ｂ（図４参照）の伸長時における耐荷重強度を更に向上させた構造を採ることも可能である。
図５（ａ）は伸縮構造体２（図２参照）の耐荷重強度の向上を図った伸縮構造体２ｃを示す説明図、図５（ｂ）は伸縮構造体２ｂ（図４参照）の耐荷重強度の向上を図った伸縮構造体２ｄを示す説明図である。
【００９４】
伸縮構造体２ｃは、図５（ａ）の様に、スライド式多段伸縮アーム２０の各アーム２１，２２，２３・・の上端部近傍に開口２１ｄ，２２ｄ・・を設けると共に、各アーム２２，２３・・下端部近傍に開口２２ｅ，２３ｅ・・を設け、スライド式多段伸縮アーム２０の完全伸長時に、開口２１ｄ，２２ｄ・・が開口２２ｅ，２３ｅ・・と重なり合って連通する構成とされている。
また、連結部材１４の長手端部を延長し、延長部位に開口１４ｃを設けている。
【００９５】
更に、スライド式多段伸縮アーム２０の開口２１ｄ，２２ｄ・・と各連結部材１４の開口１４ｃとの間を跨ぐコ字形状の複数の係止片１７、または、Ｅ字形状の複数の係止片１８を備えている。
【００９６】
このような伸縮構造体２ｃは、図５（ａ）の様に、スライド式多段伸縮アーム２０を完全に伸長した後に、係止片１７をスライド式多段伸縮アーム２０の開口２１ｄ，２２ｄ・・と各連結部材１４の開口１４ｃとの間に嵌入させる（図５ａの右方のスライド式多段伸縮アーム２０を参照）。
【００９７】
係止片１７を嵌入すると、スライド式多段伸縮アーム２０の伸縮方向へのスライドがロックされると共に、各連結部材１４が係止片１７を介してスライド式多段伸縮アーム２０へ強固に固定される。これにより、伸縮構造体２ｃの伸長時における耐荷重強度を大幅に向上させることが可能である。
【００９８】
係止片１８を用いる場合は、図５（ａ）の様に、スライド式多段伸縮アーム２０を完全に伸長した後に、係止片１８をスライド式多段伸縮アーム２０の開口２１ｄ，２２ｄ・・と各連結部材１４の開口１４ｃとの間に嵌入させる。すると、係止片１８の他端はスライド式多段伸縮アーム２０の外縁に宛がわれる（図５ａの右方のスライド式多段伸縮アーム２０側を参照）。
これにより、係止片１７の場合と同様に、伸縮構造体２ｃの伸長時における耐荷重強度を向上させることが可能となる。
【００９９】
伸縮構造体２ｄは、図５（ｂ）の様に、前記伸縮構造体２ｂ（図４参照）において、スライド式多段伸縮アーム２０の各アーム２１，２２，２３・・の上端部近傍に開口２１ｄ，２２ｄ・・を設けると共に、各アーム２２，２３・・の下端部近傍に開口２２ｅ，２３ｅ・・を設け、スライド式多段伸縮アーム２０の完全伸長時に、開口２１ｄ，２２ｄ・・と開口２２ｅ，２３ｅ・・が重なり合って連通する構成とされている。
また、連結部材１４の長手端部に開口１４ｃを設け、完全伸長時に、開口１４ｃも前記開口２１ｄ，２２ｄ・・と重なり合う構成とされている。
【０１００】
更に、スライド式多段伸縮アーム２０の開口２１ｄ，２２ｄ・・に挿入されるＴ字形状の複数の係止片１９、または、スライド式多段伸縮アーム２０の開口２１ｄ，２２ｄ・・とスライド式多段伸縮アーム２０の各段の外縁との間を跨ぐコ字形状の複数の係止片１７を備えている。
【０１０１】
このような伸縮構造体２ｄは、図５（ｂ）の様に、スライド式多段伸縮アーム２０を完全に伸長した後に、係止片１９をスライド式多段伸縮アーム２０の開口２１ｄ，２２ｄ・・に嵌入させる（図５ｂの右方のスライド式多段伸縮アーム２０側を参照）。
【０１０２】
係止片１９を嵌入すると、スライド式多段伸縮アーム２０の伸縮方向へのスライドがロックされると共に、係止片１９によって各連結部材１４がスライド式多段伸縮アーム２０に固定される。これにより、伸縮構造体２ｃの伸長時における耐荷重強度を大幅に向上させることが可能である。
【０１０３】
係止片１７を用いる場合は、図５（ｂ）の様に、スライド式多段伸縮アーム２０を完全に伸長した後に、係止片１７をスライド式多段伸縮アーム２０の開口２１ｄ，２２ｄ・・に嵌入させ、他端をスライド式多段伸縮アーム２０の外縁に宛がう。（図５ｂの右方のスライド式多段伸縮アーム２０側を参照）。
これにより、係止片１９の場合と同様に、伸縮構造体２ｃの伸長時における耐荷重強度を向上させることが可能となる。
【０１０４】
尚、図５の説明では、伸縮構造体２ｃ，２ｄとは別体の複数の係止片１７〜１９を嵌入させる構造とした。しかし、例えば、係止片１７（１８，１９）を、嵌入姿勢と解除姿勢との間を姿勢変更自在に各連結部材１４に取り付ける構成を採ることも可能である。
この構成によれば、係止片１７（１８，１９）を紛失するような不具合もなく、伸長時に係止片１７（１８，１９）を嵌入姿勢に移動させて容易に嵌入させることができ、強度を向上した伸縮構造体２ｃ，２ｄを形成することが可能である。
【０１０５】
また、例えば、複数の係止片１７（１８，１９）を棒材に配列した係止部材を用意し、伸長した伸縮構造体２ｄ，２ｄにこの係止部材を装着する構成を採ることも可能である。
【０１０６】
更に、パンタグラフ式多段伸縮アーム１０とは別に、複数の係止片１７（１８，１９）を取り付けた係止用のパンタグラフ式多段伸縮アームを、嵌入姿勢と解除姿勢との間を姿勢変更自在に連結部材１４に取り付ける構成を採ることもできる。
この構成によれば、伸長した係止用のパンタグラフ式多段伸縮アームを嵌入姿勢に移動させて係止片１７（１８，１９）を容易に嵌入させることができ、強度を向上した伸縮構造体２ｃ，２ｄを形成することが可能である。
【０１０７】
（第３実施形態）
図６（ａ）〜（ｃ）は、第３実施形態に係る伸縮構造体（折り畳み式梯子）３の構造および伸縮状態を示す平面図である。
本実施形態の伸縮構造体３は、前記第２実施形態の伸縮構造体２の一部を変形した構成である。従って、同一構成部分には同一の符号を付して重複した説明を省略する。
【０１０８】
本実施形態の伸縮構造体３は、図６（ａ）の様に、前記第２実施形態の伸縮構造体２（図２参照）の左方のパンタグラフ式多段伸縮アーム１０を取り除き、連結部材１４を直接左方のスライド式多段伸縮アーム２０の各段に回動自在に連結した構成を有する。
【０１０９】
本実施形態の伸縮構造体３も、各スライド式多段伸縮アーム２０，２０を短縮させるように上下から押圧することにより、図６（ｂ）の様に折り畳むことができる。
【０１１０】
折り畳まれた状態の伸縮構造体３は、左右の長さが、概ね、パンタグラフ式多段伸縮アーム１０の第１アーム１１の長さに、連結部材１４の長さとスライド式多段伸縮アーム２０の最大外径の二倍の長さとを加えたものとなり、上下の長さは縮小されたスライド式多段伸縮アーム２０の長さとなって極めてコンパクトになる。
【０１１１】
また、伸縮構造体３を伸長させるときは、図６（ｂ）において、各スライド式多段伸縮アーム２０，２０を上下方向に引っ張ることにより、図６（ｃ）の様に、各スライド式多段伸縮アーム２０，２０を完全に伸長されると共に、パンタグラフ式多段伸縮アーム１０，１０は直線状の完全伸長状態となる。
そして、上下の係止部材２７，２７を係止することにより、図６（ｃ）の様に伸縮構造体３の伸長が完了する。
【０１１２】
伸長が完了した伸縮構造体（折り畳み式梯子）３は、図６（ｃ）の様に、直線状となったパンタグラフ式多段伸縮アーム１０に沿って一方のスライド式多段伸縮アーム２０が位置すると共に、パンタグラフ式多段伸縮アーム１０の各段と他方のスライド式多段伸縮アーム２０との間に連結部材１４と係止部材２７が橋渡された梯子形状を呈する。
【０１１３】
このように、本実施形態の伸縮構造体（折り畳み式梯子）３によれば、一対のスライド式多段伸縮アーム２０，２０の間にパンタグラフ式多段伸縮アーム１０と連結部材１４を配した簡略化した構成により、使用時は伸長させて高い剛性を有する梯子として機能し、不使用時はコンパクトに折り畳んで収納することが可能となる。
【０１１４】
尚、本実施形態の伸縮構造体３は、パンタグラフ式多段伸縮アーム１０の各段をスライド式多段伸縮アーム２０の各段に取り付ける構成を採用したが、前記伸縮構造体２ａ（図３参照）のように、パンタグラフ式多段伸縮アーム１０の伸縮方向両端の段だけをスライド式多段伸縮アーム２０の対応する段に取り付ける構成とすることも可能である。
【０１１５】
また、本実施形態の伸縮構造体３に、前記伸縮構造体２ｂ（図４参照）に示した嵌入構造を採用することも可能である。
更に、本実施形態の伸縮構造体３に、前記伸縮構造体２ｃ，２ｄ（図５参照）に示した係止片１７〜１９を用いた係止構造を採用することも可能である。
【０１１６】
（第４実施形態）
ここで、前記した第３実施形態の伸縮構造体３の強度を更に向上させるために、一対のスライド式多段伸縮アーム２０，２０の間に、更に、もう一系統のパンタグラフ式多段伸縮アーム１０と連結部材１４を配した構造を採ることも可能である。
図７（ａ）〜（ｄ）は、このような構造を有する第４実施形態の伸縮構造体４の構造および伸縮状態を示す平面図である。
【０１１７】
伸縮構造体４は、図７（ａ）の様に、前記した伸縮構造体３（図６参照）のスライド式多段伸縮アーム２０，２０の間に、パンタグラフ式多段伸縮アーム１０と連結部材１４とを更に追加した構成である。則ち、図７（ｂ）の様に、スライド式多段伸縮アーム２０，２０の間に、パンタグラフ式多段伸縮アーム１０と連結部材１４とを二系統重ね合わせて配した構造とされている。
【０１１８】
伸縮構造体４によれば、図７（ｂ）の様に、前記した伸縮構造体３と同一のサイズに折り畳むことが可能である。
また、伸縮構造体４を伸長させると、図７（ｄ）の様に、一対のスライド式多段伸縮アーム２０，２０の各々に沿って直線状に伸長したパンタグラフ式多段伸縮アーム１０，１０が配されることとなり、伸縮構造体４の長手方向の曲げ剛性を一層向上させることが可能となる。
【０１１９】
本実施形態の伸縮構造体（折り畳み式梯子）４によれば、前記した伸縮構造体３と同一サイズにコンパクトに折り畳むことができ、しかも、前記伸縮構造体３に比べて伸長時の長手方向の曲げ剛性を一層向上させることが可能となる。
【０１２０】
尚、本実施形態の伸縮構造体４においても、前記伸縮構造体２ａ（図３参照）のように、パンタグラフ式多段伸縮アーム１０の伸縮方向両端の段だけをスライド式多段伸縮アーム２０の対応する段に取り付ける構成とすることも可能である。
【０１２１】
また、本実施形態の伸縮構造体４に、前記伸縮構造体２ｂ（図４参照）に示した嵌入構造を採用することも可能である。
更に、本実施形態の伸縮構造体４に、前記伸縮構造体２ｃ，２ｄ（図５参照）に示した係止片１７〜１９を用いた係止構造を採用することも可能である。
【０１２２】
（第５実施形態）
図８（ａ）〜（ｃ）は、第５実施形態に係る伸縮構造体（折り畳み式梯子）５の構造および伸縮状態を示す平面図である。
本実施形態の伸縮構造体５は、前記第１実施形態で示した伸縮構造体１を簡略化した構成を有する。従って、同一構成部分には同一符号を付して重複した説明を省略する。
【０１２３】
伸縮構造体５は、前記伸縮構造体１（図１参照）に採用した一方のパンタグラフ式多段伸縮アーム１０と連結部材１４を用いて構成される。
パンタグラフ式多段伸縮アーム１０は、前記伸縮構造体１に採用した構成を変形している。
【０１２４】
則ち、前記伸縮構造体１（図１参照）がパンタグラフ式多段伸縮アーム１０に２本の第２アーム１２，１２を用いたのに対して、本実施形態では図８（ａ）の様に、第２アーム１２に代えて２本の第３アーム１３，１３を取り付けた構成としている。
【０１２５】
また、連結部材１４の端部に係止孔１４ａが設けられると共に、第１アーム１１同士の接続点および第１アーム１１と第３アーム１３の接続点に係止部１１ａが設けられ、連結部材１４の係止孔１４ａが係止部１１ａに係合可能な構成とされている。
【０１２６】
本実施形態の伸縮構造体５は、パンタグラフ式多段伸縮アーム１０の上下の取っ手１３ａを互いに近接させるように押圧することにより、図８（ｂ）の様に折り畳むことが可能である。
折り畳まれた伸縮構造体１は、左右の長さが、概ね第３アーム１３の長さにその取っ手１３ａの長さを加えたものとなり、上下の長さは短縮されて極めてコンパクトになる。
【０１２７】
一方、伸縮構造体５を伸長させるときは、図８（ｂ）において、パンタグラフ式多段伸縮アーム１０の上下の取っ手１３ａ，１３ａを互いに離遠する方向へ引き離すことにより、図８（ａ）に示す伸長状態とする。そして、各連結部材１４の係止孔１４ａを対応した係止部１１ａに係止すると共に、各係止部材１５の係止孔１５ａを第３アーム１３の係止部１３ｂに係止させることにより、図８（ｃ）に示す伸長状態となる。
【０１２８】
伸長された伸縮構造体５は、パンタグラフ式多段伸縮アーム１０が縮小状態と完全伸長状態との中間状態で固定されてジグザグ形状となり、当該ジグザグ形の各段に連結部材１４および係止部材１５が配された形状を呈する。
【０１２９】
従って、伸長された伸縮構造体５は、下端の第３アーム１３，１３を大地や建物に当接させて立てかけることにより、連結部材１４および係止部材１５を足掛かりとする梯子として用いることが可能である。
このように、本実施形態の伸縮構造体（折り畳み式梯子）５によれば、極めて簡単な構造により、使用時には伸長させて梯子として用いることができると共に、不使用時にはコンパクトに折り畳んで収納することが可能となる。
【０１３０】
（第６実施形態）
ここで、前記した第５実施形態の伸縮構造体５の強度を更に向上させるために、パンタグラフ式多段伸縮アーム１０を二重に配した構造を採ることも可能である。
図９（ａ），（ｂ）は、このような構造を有する第６実施形態の伸縮構造体６の構造および伸縮状態を示す平面図である。
【０１３１】
伸縮構造体６は、図９（ａ）の様に、前記伸縮構造体１（図１参照）に採用したパンタグラフ式多段伸縮アーム１０，１０を重ね合わせ、連結部材１４を一方のパンタグラフ式多段伸縮アーム１０の各段に回動自在に固定した構造を有する。
則ち、伸縮構造体６は、パンタグラフ式多段伸縮アーム１０を二重に重ね合わせることにより、伸長時における長手方向の曲げ剛性を向上させた構造を有する。
【０１３２】
本実施形態の伸縮構造体６も、前記伸縮構造体５（図８参照）と同様に同一のサイズに折り畳みおよび伸長させることが可能である。
則ち、本実施形態の伸縮構造体（折り畳み式梯子）６によれば、前記伸縮構造体５と同一サイズにコンパクトに折り畳むことができ、しかも、前記伸縮構造体５に比べて伸長時の長手方向の曲げ剛性を向上させることが可能となる。
【０１３３】
ところで、前記第１〜第６実施形態で示した伸縮構造体１〜６は、いずれも、連結部材１４を長尺平板材で形成したが、平板形状とは異なる連結部材を用いることも可能である。
図１０（ａ），（ｂ）は、前記第２実施形態で示した伸縮構造体２（図２参照）に、形状の異なる連結部材を適用した伸縮構造体２’，２”を示す斜視図である。
【０１３４】
図１０（ａ）の伸縮構造体２’は、平板材を湾曲させて形成した連結部材１４’と係止部材１５’とを採用した構成である。また、図１０（ｂ）の伸縮構造体２”は、平板材を折れ線形状に折曲した連結部材１４”と係止部材１５”とを採用した構成である。
【０１３５】
このような伸縮構造体（折り畳み式梯子）２’，２”によれば、スライド式多段伸縮アーム２０，２０を壁面などに密着させて立て掛けた場合であっても、連結部材１４’，１４”および係止部材１５’，１５”と壁面との間に隙間が形成される。これにより、連結部材１４’，１４”および係止部材１５’，１５”に足を容易に掛けることができ、しかも手で掴むことも容易となり、安全に迅速に昇降を行うことが可能となる。
【０１３６】
尚、図１０に示した伸縮構造体２’，２”は、前記第２実施形態で示した伸縮構造体２に連結部材１４’，１４”および係止部材１５’，１５”を適用した例として示したが、前記第１および第３〜第６実施形態の伸縮構造体１，３〜６にこれらの連結部材１４’，１４”および係止部材１５’，１５”を適用することも可能である。
【０１３７】
（第７実施形態）
図１１（ａ），（ｂ）は、本発明の第７実施形態に係る伸縮構造体７，８の伸長状態を示す斜視図である。尚、図１１（ａ），（ｂ）では、図を分かり易くするために、パンタグラフ式多段伸縮アーム１０を省略する。
【０１３８】
伸縮構造体７は、図１１（ａ）の様に、正三角形の三つの頂点に位置させてスライド式多段伸縮アーム２０を各々配し、隣接するスライド式多段伸縮アーム２０，２０同士の間に、各々、前記第２実施形態で示した伸縮構造体２（図２参照）の伸縮構造を形成した構造とされている。
則ち、伸縮構造体７は、隣接するスライド式多段伸縮アーム２０，２０の間に、連結部材１４で連結された一対のパンタグラフ式多段伸縮アーム１０，１０（図１１ａでは不図示）を設けた構造である。
【０１３９】
従って、伸縮構造体７は、伸長状態において立体構造を呈することとなり、長手方向に対して極めて高い曲げ剛性を発現する。また、伸縮構造体７は、３本のスライド式多段伸縮アーム２０を縮小させることによって容易に折り畳むことができる。
これにより、伸縮構造体（折り畳み式梯子）７によれば、伸長時に高い剛性を示す立体の梯子として使用でき、不使用時にコンパクトに折り畳んで収納することが可能となる。
【０１４０】
伸縮構造体８は、図１１（ｂ）の様に、正方形の四つの頂点に位置させてスライド式多段伸縮アーム２０を各々配し、隣接するスライド式多段伸縮アーム２０，２０同士の間に、各々、前記第２実施形態で示した伸縮構造体２（図２参照）の伸縮構造を形成した構造とされている。
【０１４１】
従って、伸縮構造体８においても、伸長状態において立体構造を呈することとなり、長手方向に対して高い曲げ剛性を発現すると共に、４本のスライド式多段伸縮アーム２０を縮小させることによって容易に折り畳むことが可能となる。
【０１４２】
尚、本実施形態の伸縮構造体７，８は、スライド式多段伸縮アーム２０の間に前記伸縮構造体２（図２参照）の伸縮構造を適用したが、前記第３および第４実施形態に示した伸縮構造体３，４（図６，図７参照）の伸縮構造を適用することも可能である。
また、前記図１０に示した連結部材１４’，１４”および係止部材２７’，２７”を、本実施形態の伸縮構造体７，８に適用することも可能である。
また、図１１では、スライド式多段伸縮アーム２０を正三角形および正方形の頂点に位置させて配したが、正五角形以上の多角形の頂点に位置させる構成や、菱形の頂点に位置させる構成を採ることも可能である。
【０１４３】
（第８実施形態）
図１２（ａ）〜（ｃ）は、本発明の第８実施形態に係る伸縮構造体９の構造および伸縮状態を示す斜視図である。
本実施形態の伸縮構造体９は、前記第２実施形態で示した伸縮構造体２（図２参照）を変形した構造を有する。従って、同一構成部分には同一の符号を付して重複した説明を省略する。
【０１４４】
伸縮構造体９は、前記伸縮構造体２の直管形状のスライド式多段伸縮アーム２０に代えて、所定の曲率半径で湾曲させたアーチ形状を有するスライド式多段伸縮アーム２０’，２０’を用いた構造を有する。
スライド式多段伸縮アーム２０’は、第１〜第６アーム２１〜２６の各々が同一の曲率半径で湾曲されている。従って、各アーム２１〜２６を縮小した状態では、図１２（ｂ）の様に、第１アーム２１に他のアーム２２〜２６が収納されて縮小される。また、各アーム２１〜２６を伸長すると、図１２（ｃ）の様に、第１〜第６アーム２１〜２６によってアーチ形状が形成される。
【０１４５】
伸縮構造体９は、このスライド式多段伸縮アーム２０，２０の間に、前記伸縮構造体２（図２参照）と同様に、連結部材１４で連結された一対のパンタグラフ式多段伸縮アーム１０，１０を配した構造を有する。
【０１４６】
本実施形態の伸縮構造体９も、前記伸縮構造体２と同様にして伸長、折り畳み自在である。伸縮構造体９を折り畳む場合は、各スライド式多段伸縮アーム２０，２０の第１アーム２１と第６アーム２６を近接させるように押圧する。すると、図１２（ｂ）の様に、スライド式多段伸縮アーム２０，２０が縮小され、追随して、パンタグラフ式多段伸縮アーム１０，１０が折り畳まれる。伸縮構造体９を折り畳んだ状態では、前記伸縮構造体２と略等しい嵩となり、コンパクトに収納可能である。
【０１４７】
また、伸縮構造体９を伸長する場合は、逆に、各スライド式多段伸縮アーム２０，２０の第１アーム２１と第６アーム２６を離遠させるように引っ張る。すると、図１２（ｃ）の様に、スライド式多段伸縮アーム２０，２０が伸長され、追随して、パンタグラフ式多段伸縮アーム１０，１０が伸長してアーチ形状となる。
則ち、伸縮構造体９を伸長すると、スライド式多段伸縮アーム２０，２０の内側に沿ってアーチ形状に伸長したパンタグラフ式多段伸縮アーム１０，１０が位置し、パンタグラフ式多段伸縮アーム１０，１０の間に連結部材１４が位置することとなり、アーム型の梯子形状を呈する。
【０１４８】
本実施形態の伸縮構造体（折り畳み式梯子）９は、例えば、ベランダの鉄格子を跨いで設置することにより、室内から戸外へ避難するような場合に好適に用いることが可能である。
【０１４９】
尚、本実施形態の伸縮構造体９は、スライド式多段伸縮アーム２０’の間に前記伸縮構造体２（図２参照）の伸縮構造を適用したが、前記伸縮構造体３，４（図６，図７参照）の伸縮構造を適用することも可能である。
また、スライド式多段伸縮アーム２０の曲率半径は、使用目的に合わせて適宜の値に設定することが可能である。
また、前記図１０に示した連結部材１４’，１４”および係止部材２７’，２７”を、本実施形態の伸縮構造体９に適用することも可能である。
【０１５０】
（第９実施形態）
次に、本発明の実施形態に係る支持台について説明する。
図１３（ａ），（ｂ）は、本発明の第９実施形態に係る支持台３０に被支持対象物であるソーラーパネルを固定する手順を示す斜視図である。
支持台３０は、図１３（ａ）の様に、前記伸縮構造体２（図２参照）に、予め、固定金具３１，３２を取り付けた構造を有する。
【０１５１】
固定金具３１はＬ型フレームであり、スライド式多段伸縮アーム２０の第１アーム２１、第３アーム２３および第５アーム２５の各々の端部に、対向させて固定されている。
固定金具３２は、Ｓ型フレームであり、スライド式多段伸縮アーム２０の第１アーム２１および第６アーム２６の端部に固定されている。
本実施形態の支持台３０は、このように、前記伸縮構造体２のスライド式多段伸縮アーム２０に固定金具３１，３２を固定した構造ではあるが、前記図２に示した様に伸長、折り畳み自在である。
【０１５２】
ソーラーパネル３３は、方形平板状のパネルであり、長手両側縁の両端部近傍および中央部に固定孔３３ａが設けられている。
【０１５３】
ソーラーパネル３３は、次の手順で屋根などに固定される。
まず、支持台３０を折り畳んだ状態で屋根に搬送し、伸長して固定金具３２を予め屋根に設けられた固定部（不図示）に固定する。
次いで、ソーラーパネル３３を屋根に搬送し、図１３（ａ）の様に、固定金具３１，３１の間に位置させて支持台３０に覆い被せて載置し、ボルト３４を固定金具３１の固定孔に通してソーラーパネル３０の固定孔３３ａにねじ込んで固定する。
以上の手順により、図１３（ｂ）の様に、ソーラーパネル３３が支持台３０を介して屋根に固定される。
【０１５４】
このように、本実施形態の支持台３０によれば、支持台３０を折り畳んだ状態で屋根に搬送することができ、取り付け作業を短時間に効率良く行うことができる。また、伸長した支持台３０は長手方向の高い曲げ剛性を有するので、ソーラーパネル３３を安定して支持することが可能である。
【０１５５】
尚、本実施形態の支持台３０は、前記伸縮構造体２（図２参照）を用いた構成としたが、前記伸縮構造体１〜９のいずれかを用いた構成を採ることも可能である。
また、本実施形態では、一つのソーラーパネル３３を一つの支持台３０で支持する構成としたが、一つのソーラーパネル３３を複数の支持台３０で支持する構成や、複数のソーラーパネル３３を一つの支持台３０で支持する構成を採ることも可能である。
また、ソーラーパネル３３に代えて、太陽熱温水装置などを支持することも可能である
【０１５６】
（第１０実施形態）
図１４〜図１６は、本発明の第１０実施形態に係る支持台３５，４０，４５を示す斜視図である。
支持台３５は、図１４の様に、前記伸縮構造体２（図２参照）を二台連結して形成される。連結部分にはヒンジ（不図示）が用いられており、伸縮構造体２，２同士は互いに回動自在である。
【０１５７】
また、伸縮構造体２，２の途中には係止部材３６，３６が橋渡し自在に設けられ、伸縮構造体２，２の開脚角度を固定する構造とされている。
支持台３５は、前記伸縮構造体２を用いた構造であり、伸縮構造体２の伸長時には脚立として機能し、しかも、縮小してコンパクトに折り畳むことが可能である。
【０１５８】
支持台４０は、図１５の様に、前記伸縮構造体２（図２参照）を長手方向に三台連結して形成され、連結部分にはヒンジ（不図示）が用いられて互いに回動自在である。
支持台４０は、隣接する伸縮構造体２，２の間に係止部材４１を橋渡し可能な構造とされている。
【０１５９】
従って、例えば、図１５の様に、中央部の伸縮構造体２を略水平とし、両端部の伸縮構造体２を略垂直としたコ字形状を採る場合は、隣接する伸縮構造体２，２の間に係止部材４１を取り付けることにより、相対的な回動を禁止して安定したコ字形状を維持することができる。
【０１６０】
支持台４０は、前記伸縮構造体２を用いた構造であり、伸縮構造体２の伸長時には作業台や物品の載置台として利用することができ、不使用時には、伸縮構造体２を縮小してコンパクトに折り畳むことができる。支持台４０は、各種の作業を行う作業台として好適に用いることができる。
【０１６１】
支持台４５は、図１６の様に、前記伸縮構造体９（図１２参照）の長手両端部に前記伸縮構造体２（図２参照）を各々連結して形成され、連結部分にはヒンジ（不図示）が用いられて互いに回動自在である。
【０１６２】
支持台４５は、例えば、図１６の様に、両側の伸縮構造体２，２を略垂直に保持することにより、恰も、アーチ型のゲート形状となる。このような支持台４５に装飾を施すことにより、アーチ型の装飾ゲートを容易に形成することができる。
【０１６３】
支持台４５は、伸縮構造体２，９を用いた構造であり、伸長時には前記したアーチ型のケートを形成することができ、不使用時にはコンパクトに折り畳んで収納可能である。
【０１６４】
尚、本実施形態で示した支持台３５，４０，４５は、前記伸縮構造体２，９を連結した構成として述べたが、前記伸縮構造体１〜９のいずれかを組み合わせて形成することも可能である。
また、本実施形態では、２台または３台の伸縮構造体２，９を連結した構成として示したが、４台以上の伸縮構造体を連結することも可能である。
【０１６５】
（第１１実施形態）
図１７〜図１９は、各々、本発明の第１１実施形態に係る折り畳み式器具５０，５５，６０の伸縮状態を示す平面図である。
折り畳み式器具５０は、図１７（ａ）の様に、前記伸縮構造体３（図６参照）の先端部に昆虫採集用の網５２を取り付けた折り畳み式昆虫採集網５０である。
網５２は円形枠５１に取り付けられ、円形枠５１と伸縮構造体３との間は、支持部材５３，５３を介して回動自在に固定されている。
【０１６６】
この昆虫採集網５０は、円形枠５１を支持したまま伸縮構造体３を縮小することによって折り畳むことができる。
則ち、図１７（ｂ）の様に伸縮構造体３を縮小すると、スライド式多段伸縮アーム２０，２０の間隔が拡大するが、支持部材５３，５３の開脚によって円形枠５１を保持可能な構造とされている。
【０１６７】
この昆虫採集網５０によれば、使用時には伸縮構造体３を伸長させるだけで曲げ剛性の高い昆虫採集網を容易に形成でき、不使用時にはコンパクトに折り畳んで収納可能である。
尚、本実施形態では、伸縮構造体３と円形枠５１の間に支持部材５３を介在させた構成としたが、伸縮性を有する円形枠を備えた網を直接伸縮構造体３の先端部に固定することも可能である。
また、本実施形態の折り畳み式昆虫採集網５０において、網５２を魚類捕獲用の網に変更することにより、折り畳み式魚類捕獲網を形成することが可能である。
【０１６８】
折り畳み式器具５５は、図１８（ａ）の様に、前記伸縮構造体３（図６参照）の先端部に救命用の浮き輪５６を取り付けた折り畳み式救命浮き輪５５である。
本実施形態の救命浮き輪５５も、前記昆虫採集網５０（図１７参照）と同様に、浮き輪５６と伸縮構造体３との間を支持部材５３，５３によって回動自在に固定した構造を採用しており、浮き輪５６を支持したまま伸縮構造体３を伸長、折り畳み自在である。
【０１６９】
本実施形態の折り畳み式救命浮き輪５５は、例えば、フェリーボートや貨物船などに装備することにより、転落事故などの緊急時に直ちに伸長して救命に供することができる。また、不使用時には折り畳むことにより、収納スペースを削減することが可能である。
【０１７０】
尚、本実施形態の折り畳み式昆虫採集網５０および折り畳み式救命浮き輪５５は、前記伸縮構造体３を用いた構成としたが、前記伸縮構造体１，３，４（図１，図６，図７参照）を用いることも可能である。
【０１７１】
折り畳み式器具６０は、図１９の様に、前記伸縮構造体９（図１２参照）の長手両端部にヘッドフォーンスピーカ６１を内蔵したフォーンパッド６２を取り付けた折り畳み式ヘッドフォーン６０である。
本実施形態のヘッドフォーン６０も、前記昆虫採集網５０（図１７参照）と同様に、フォーンパッド６２と伸縮構造体９との間を支持部材６３，６３によって回動自在に固定した構造を採用しており、フォーンパッド６２を支持したまま伸縮構造体９を伸長、折り畳み自在である。
【０１７２】
本実施形態の折り畳み式ヘッドフォーン６０は、使用者の頭部に合わせて伸縮構造体９の長さを調整することができ、快適な装着感が得られる。また、不使用時には伸縮構造体９を縮小してコンパクトに折り畳むことが可能である
【０１７３】
尚、本実施形態の折り畳み式ヘッドフォーン６０は、前記伸縮構造体９（図１２参照）を用いた構成としたが、スライド式多段伸縮アーム２０’，２０’の間に前記伸縮構造体３，４（図６，図７参照）の伸縮構造を形成した伸縮構造体を用いることも可能である。
【０１７４】
また、本実施形態では、折り畳み式器具として昆虫採集網５０、救命浮き輪５５およびヘッドフォーン６０を例に挙げて説明したが、これらの折り畳み式器具以外にも、例えば眼鏡のフレームなどに本発明の伸縮構造体を採用することにより、折り畳み式眼鏡を形成することも可能である。
【０１７５】
（第１２実施形態）
次に、本発明の実施形態に係る折り畳み式パイプを説明する。
図２０は、本発明の第１２実施形態に係る折り畳み式パイプ６５の伸長状態を示す斜視図である。
折り畳み式パイプ６５は、前記図１０（ａ）に示した連結部材１４’および係止部材２７’を前記伸縮構造体７（図１１ａ参照）に適用した伸縮構造体７’を採用している。則ち、この伸縮構造体７’の周りを、伸縮方向の全長に渡って伸縮性を有する外被材６６で覆って形成される。
【０１７６】
本実施形態のパイプ６５は、３本のスライド式多段伸縮アーム２０を縮小することにより、外被材６６も追随して折り畳まれて長さを短縮することができる。また、スライド式多段伸縮アーム２０を伸長することにより、図２０の様に、周りを外被材６６で覆われたパイプとして機能する。
【０１７７】
従って、例えば、折り畳み式パイプ６５を電気掃除機の吸引パイプに適用することにより、使用時には剛性を有する吸引パイプとして機能し、不使用時にはコンパクトに折り畳んで収納することが可能となる。
【０１７８】
尚、本実施形態では、断面が略円形のパイプとしたが、前記伸縮構造体８（図１１ｂ参照）を採用して断面が方形のパイプを形成することも可能である。
また、スライド式多段伸縮アーム２０同士の間に、前記伸縮構造体３，４の伸縮構造を備えた伸縮構造体を用いることも可能である。
【０１７９】
以上、本発明の実施形態を説明したが、前記実施形態に示した伸縮構造体に用いる素材は、剛性を有する金属や強化プラスチックなどが好適である。特に、アルミニウムなどの剛性を有しつつ軽量な金属材や繊維強化プラスチック（ＦＲＰ）を用いることにより、軽量で充分な強度を有し、しかもコンパクトに折り畳み可能な伸縮構造体を形成することが可能である。
【０１８０】
また、前記実施形態では、スライド式多段伸縮アーム２０，２０’として、断面形状が円形のものを例示したが、断面が方形や多角形のものを用いることも可能である。
また、前記実施形態で示した伸縮構造体は、必要に応じて段数および伸長時の全長を適宜に設定することが可能である。
【産業上の利用可能性】
【０１８１】
以上説明したように、本発明の伸縮構造体は伸長時に充分な強度を有すると共に、コンパクトに折り畳むことができる。従って、長尺の棒体やフレームを有する各種の器具に本発明の伸縮構造体を適用することにより、器具本来の機能を備えつつコンパクトに折り畳むことの可能な折り畳み式器具を形成することが可能である。
【図面の簡単な説明】
【０１８２】
【図１】（ａ）〜（ｄ）は、本発明の第１実施形態に係る伸縮構造体（折り畳み式梯子）の構造および伸縮状態を示す平面図である。
【図２】（ａ）〜（ｃ）は、本発明の第２実施形態に係る伸縮構造体（折り畳み式梯子）の構造および伸縮状態を示す平面図である。
【図３】（ａ）〜（ｃ）は、図２の伸縮構造体を変形した伸縮構造体の構造および伸縮状態を示す平面図である。
【図４】（ａ）〜（ｃ）は、図２の伸縮構造体に、伸長時において連結部材の両端部をスライド式多段伸縮アームに嵌合させる構造を適用した例を示す説明図である。
【図５】（ａ）は、図２の伸縮構造体の耐荷重強度の向上を図った伸縮構造体を示す説明図、（ｂ）は、図４の伸縮構造体の耐荷重強度の向上を図った伸縮構造体を示す説明図である。
【図６】（ａ）〜（ｃ）は、本発明の第３実施形態に係る伸縮構造体（折り畳み式梯子）の構造および伸縮状態を示す平面図である。
【図７】（ａ）〜（ｄ）は、本発明の第４実施形態に係る伸縮構造体（折り畳み式梯子）の構造および伸縮状態を示す平面図である。
【図８】（ａ）〜（ｃ）は、本発明の第５実施形態に係る伸縮構造体（折り畳み式梯子）の構造および伸縮状態を示す平面図である。
【図９】（ａ），（ｂ）は、本発明の第６実施形態に係る伸縮構造体（折り畳み式梯子）の構造および伸縮状態を示す平面図である。
【図１０】（ａ），（ｂ）は、図２の伸縮構造体に形状の異なる連結部材を適用した伸縮構造体を示す斜視図である。
【図１１】（ａ），（ｂ）は、本発明の第７実施形態に係る伸縮構造体の伸長状態を示す斜視図である。
【図１２】（ａ）〜（ｃ）は、本発明の第８実施形態に係る伸縮構造体の構造および伸縮状態を示す斜視図である。
【図１３】（ａ），（ｂ）は、本発明の第９実施形態に係る支持台に被支持対象物であるソーラーパネルを固定する手順を示す斜視図である。
【図１４】本発明の第１０実施形態に係る支持台を示す斜視図である。
【図１５】本発明の第１０実施形態に係る別の支持台を示す斜視図である。
【図１６】本発明の第１０実施形態に係る更に別の支持台を示す斜視図である。
【図１７】本発明の第１１実施形態に係る折り畳み式器具（折り畳み式昆虫採集網）の伸縮状態を示す平面図である。
【図１８】本発明の第１１実施形態に係る折り畳み式器具（折り畳み式救命浮き輪）の伸縮状態を示す平面図である。
【図１９】本発明の第１１実施形態に係る折り畳み式器具（折り畳み式ヘッドフォーン）の伸縮状態を示す平面図である。
【図２０】本発明の第１２実施形態に係る折り畳み式パイプの伸長状態を示す斜視図である。
【符号の説明】
【０１８３】
１，２，２’，２”，２ａ，２ｂ，２ｃ，２ｄ    伸縮構造体（折り畳み式梯子）
３，４，５，６，７，８，９    伸縮構造体（折り畳み式梯子）
７’    伸縮構造体
１０    パンタグラフ式多段伸縮アーム
１４，１４’，１４”    連結部材
２０，２０’  スライド式多段伸縮アーム
３０，３５，４０    折り畳み式支持台
３３    被支持対象物（ソーラーパネル）
５０    折り畳み式器具（折り畳み式昆虫採集網）
５２    被支持対象物（昆虫採集網）
５５    折り畳み式器具（折り畳み式救命浮き輪）
５６    被支持対象物（救命浮き輪）
６０    折り畳み式器具（折り畳み式ヘッドフォーン）
６１    被支持対象物（ヘッドフォーン）
６５    折り畳み式パイプ
６６    外被材
【図１】
2006052603.tif 000003
【図２】
2006052603.tif 000004
【図３】
2006052603.tif 000005
【図４】
2006052603.tif 000006
【図５】
2006052603.tif 000007
【図６】
2006052603.tif 000008
【図７】
2006052603.tif 000009
【図８】
2006052603.tif 000010
【図９】
2006052603.tif 000011
【図１０】
2006052603.tif 000012
【図１１】
2006052603.tif 000013
【図１２】
2006052603.tif 000014
【図１３】
2006052603.tif 000015
【図１４】
2006052603.tif 000016
【図１５】
2006052603.tif 000017
【図１６】
2006052603.tif 000018
【図１７】
2006052603.tif 000019
【図１８】
2006052603.tif 000020
【図１９】
2006052603.tif 000021
【図２０】
2006052603.tif 000022